(57)【要約】【課題】トナー消費を抑制しつつ、判読性を高めた印刷物を提供できる画像形成装置を提供する。【解決手段】画像形成装置の制御部１２は、画像形成要求受け付け部４０と、画像データ取得部４１と、視認性向上要求受け付け部４２と、領域識別部４３と、線幅測定部４４と、補正対象箇所抽出部４５と、補正処理部４６と、メモリ５０とを備える。視認性向上要求受け付け部４２が視認性向上要求を受け付けると、補正対象箇所抽出部４５によって補正対象箇所と判断された線画領域が補正処理部４６によって太線化される。【選択図】図３
2017068023.tif 000002
【特許請求の範囲】
【請求項１】
ユーザーからの画像形成の要求を受け付ける画像形成要求受け付け部と、
前記画像形成の要求と共に、画像データを取得する画像データ取得部と、
前記ユーザーからの視認性向上要求を受け付ける視認性向上要求受け付け部と、
前記視認性向上要求受け付け部が視認性向上要求を受け付けると、前記画像データ内の線画領域と線画領域以外の領域とを識別すると共に、線画領域と識別された領域内の文字または線を抽出する領域識別部と、
前記文字または線の線幅を求める線幅測定部と、
前記線幅測定部が測定した線幅が、あらかじめ定められたしきい値未満である補正対象箇所を抽出する補正対象箇所抽出部と、
前記補正対象箇所抽出部が補正対象箇所と判定した箇所をあらかじめ定められた規定値まで太線化し、前記画像データを補正して、印刷用補正データを作成する補正処理部と、
前記補正処理部が作成した印刷用補正データに基づき、記録媒体上に画像を形成する画像形成部とを備える、画像形成装置。
【請求項２】
前記画像形成装置は、前記印刷用補正データに基づき記録媒体上に画像を形成する視認性向上モードと、画像データ取得部が取得した画像データに基づき記録媒体上に画像を形成する通常印刷モードとを含む切り替え可能な複数の画像形成モードを備え、
前記視認性向上要求受け付け部が視認性向上要求を受け付けた場合には、視認性向上モードが実行され、
前記視認性向上要求がない場合には、前記通常印刷モードが実行される、請求項１に記載の画像形成装置。
【請求項３】
前記補正対象箇所抽出部は、前記線画領域の主走査方向または副走査方向のいずれかの線幅が前記しきい値未満の領域を含む場合に補正対象箇所であると判定する、請求項１または２に記載の画像形成装置。
【請求項４】
前記補正処理部は、前記領域識別部が抽出した線または文字を、その線または文字の対称軸に直交する方向に均等に太字化する、請求項１〜３のいずれか１項に記載の画像形成装置。
【請求項５】
さらに、太線化した部分を報知する報知部を含む、請求項１〜４のいずれか１項に記載の画像形成装置。
【発明の詳細な説明】
【技術分野】
【０００１】
この発明は、画像形成装置に関する。
【背景技術】
【０００２】
複合機等に代表される画像形成装置においては、画像読み取り部で原稿の画像を読み取った後、画像形成部に備えられる感光体に対して読み取った画像を基に光を照射し、感光体上に静電潜像を形成する。その後、形成した静電潜像の上に帯電したトナー等の現像剤を供給して可視画像とした後、用紙に転写して定着させ、装置外に排出する。
【０００３】
このような画像形成装置のユーザーの中には高齢者のように視力が低い者もいる。そのような視力が低い者でも判読しやすいように、画像データの補正により印刷物の視認性を高める技術が知られている。例えば、特許文献１には、ユーザーの視力を判定し、その判定結果に応じて文字を拡大する補正を行う画像形成装置に関する技術が開示されている。また特許文献２には、切り替え可能な通常モードと補正モードを有し、補正モードでは視認性を高める補正を行う画像形成装置に関する技術が開示されている。
【先行技術文献】
【特許文献】
【０００４】
【特許文献１】特開２０１４−１１６１２号公報
【特許文献２】特開２０１４−６４１８４号公報
【発明の概要】
【発明が解決しようとする課題】
【０００５】
画像形成装置から出力される印刷物の中には、標準的な線画や文字フォントを使用しているにも関わらず、高齢者などの視力が低い者にとっては判読が難しいものがある。例えば、細い線を多用した回路図や、横線が細くデザインされたレイアウトのフォントなどは、高齢者が判読するのが難しい。
【０００６】
特許文献１は、ユーザーの視力を判定し、その判定結果に応じて拡大対象文字サイズを決定し、文字を拡大する技術に関する。この技術では、画像形成を要求する前に視力を判定する操作が必要となるため、印刷の際、ユーザーに課される操作が煩雑となり利便性を損なう。また視力判定のためのソフトウェアなどが別途必要となり、機構も複雑となる。
【０００７】
特許文献２に開示の画像形成装置では、切り替え可能な通常モードと補正モードを有し、補正モードでは視認性を高める補正を行う。しかし、補正モードでは判読可能な文字までも含めて一律に文字が太くなるよう補正されるため、かえって判読性が低くなる場合がある。また、本来太字化しなくてもよい文字まで補正されることから、トナーの無駄使いにもなる。
【０００８】
この発明の目的は、トナー消費を抑制しつつ、判読性を高めた印刷物を提供できる画像形成装置を提供することである。
【課題を解決するための手段】
【０００９】
この発明の一の局面においては、画像形成装置は、画像形成要求受け付け部と、画像データ取得部と、視認性向上要求受け付け部と、領域識別部と、線幅測定部と、補正対象箇所抽出部と、補正処理部と、画像形成部とを備える。画像形成要求受け付け部は、ユーザーからの画像形成の要求を受け付ける。画像データ取得部は、画像形成の要求と共に、画像データを取得する。視認性向上要求受け付け部はユーザーからの視認性向上要求を受け付ける。視認性向上要求受け付け部が視認性向上要求を受け付けると、画像データ内の線画領域と線画領域以外の領域とを識別すると共に、線画領域と識別された領域内の文字または線を抽出する。線幅測定部は線または文字の線幅を求める。補正対象箇所抽出部は、線幅測定部が測定した線幅が、あらかじめ定められたしきい値未満の場合には補正対象箇所であると判定する。補正処理部は、補正対象箇所抽出部が補正対象箇所と判定した箇所をあらかじめ定められた規定値まで太線化し、印刷用補正データを作成する。画像形成部は、補正処理部が作成した印刷用補正データに基づき、記録媒体上に画像を形成する。
【発明の効果】
【００１０】
このような画像形成装置は、線画領域を識別、線または文字を抽出する領域識別部と、線画領域の線幅を測定する線幅測定部と、線幅に基づいて補正対象箇所を抽出する補正対象箇所抽出部と、補正対象箇所に対し、視認性を高めるための太線化処理を行う補正処理部を有する。上記画像形成装置によると、所定のしきい値未満の線幅を有する補正対象箇所の線画のみを太線化する処理が行われるため、しきい値以上の線幅の線画は太線化されることはない。また文字を抽出して文字そのものを大きくすることもないので、レイアウトのバランスを損ねることもない。このように、上記画像形成装置は、極力レイアウトのバランスを損ねることなく、トナーの消費量も抑制したまま、判読性を高めた印字処理を行うことができる。
【図面の簡単な説明】
【００１１】
【図１】この発明の一実施形態に係る画像形成装置を複合機に適用した場合の複合機の外観を示す概略斜視図である。
【図２】この発明の一実施形態に係る画像形成装置を複合機に適用した場合の複合機の構成を示すブロック図である。
【図３】制御部の構成の一例を示すブロック図である。
【図４】この発明の一実施形態に係る複合機を用いて画像を形成する場合の処理の流れを示すフローチャートである。
【図５】表示部の画面表示の一例を示す図である。
【図６】ドット単位で表された線画領域の一部と、その線幅を示した拡大図である。
【図７】補正対象箇所を拡大した図である。
【図８】補正対象箇所の横線の補正幅を説明する図である。
【図９】補正対象箇所の補正前と補正後の状態を示した図である。
【図１０】コンピューターに付属のディスプレイの表示部の表示の一例を示す図である。
【発明を実施するための形態】
【００１２】
以下、この発明の実施の形態を説明する。図１は、この発明の一実施形態に係る画像形成装置を複合機に適用した場合の複合機の外観を示す概略斜視図である。図２は、この発明の一実施形態に係る画像形成装置を複合機に適用した場合の複合機の構成を示すブロック図である。
【００１３】
図１および図２を参照して、この発明の一実施形態に係る画像形成装置としての複合機１１は、制御部１２と、表示操作部１３と、画像読み取り部１４と、画像形成部１５と、排出トレイ３０と、ハードディスク１６と、ファクシミリ通信部１７と、ネットワーク２５と接続するためのネットワークインターフェース部１８とを備える。
【００１４】
制御部１２は、複合機１１全体の制御を行う。表示操作部１３は、複合機１１側から発信する情報やユーザーの入力内容を表示する表示画面２１を含む。表示操作部１３は、印刷部数や階調性等の画像形成の条件や電源のオンまたはオフを入力させる。画像読み取り部１４は、セットされた原稿を自動的に読み取り位置へ搬送する自動原稿搬送装置（ＡＤＦ（Ａｕｔｏ  Ｄｏｃｕｍｅｎｔ  Ｆｅｅｄｅｒ））２２を含む。画像読み取り部１４は、ＡＤＦ２２によって搬送された原稿の画像や載置台上に載置された原稿の画像を読み取る。画像形成部１５は、トナーを用いて現像を行う現像装置２３を含む。画像形成部１５は、読み取った画像やネットワーク２５を介して送信された画像データを基に画像を形成する。すなわち、画像形成部１５は、受け付けられた画像形成の要求に応じ、画像データを基に記録媒体上、例えば、用紙上に画像を形成する。画像形成部１５により画像を形成された記録媒体は、印刷物として排出トレイ３０に排出される。ハードディスク１６は、送信された画像データや入力された画像形成条件等の格納を行う。ファクシミリ通信部１７は、公衆回線２４に接続されており、ファクシミリ送信やファクシミリ受信を行う。
【００１５】
なお、複合機１１は、画像データの書き出しや読み出しを行うＤＲＡＭ（Ｄｙｎａｍｉｃ  Ｒａｎｄｏｍ  Ａｃｃｅｓｓ  Ｍｅｍｏｒｙ）や現像剤によって形成された可視化像を転写する用紙を搬送する用紙搬送部等を備えるが、これらについては、図示および説明を省略する。また、図２中の矢印は、制御信号や制御、画像に関するデータの流れを示している。
【００１６】
複合機１１は、画像読み取り部１４により取得された画像データに基づき画像形成部１５において画像を形成し、用紙に印刷することにより、複写機として作動する。また、複合機１１は、ネットワークインターフェース部１８を通じて、ネットワーク２５に接続されたコンピューター２６ａ、２６ｂ、２６ｃから送信された画像データを用いて、画像形成部１５において画像を形成し、用紙に印刷することにより、プリンターとして作動する。また、複合機１１は、ファクシミリ通信部１７を通じて、公衆回線２４から送信された画像データを用いて、ＤＲＡＭを介して画像形成部１５において画像を形成することにより、または画像読み取り部１４により取得された画像データを、ファクシミリ通信部１７を通じて公衆回線２４に画像データを送信することにより、ファクシミリ装置として作動する。すなわち、複合機１１は、画像処理に関し、複写機能、プリンター機能、ファクシミリ機能等、複数の機能を有する。さらに、各機能に対しても、詳細に設定可能な機能を有する。
【００１７】
複合機１１を含む画像形成システム２７は、複合機１１と、複数のコンピューター２６ａ、２６ｂ、２６ｃとを備える。具体的には、画像形成システム２７は、上記した構成の複合機１１と、ネットワーク２５を介して複合機１１に接続される複数のコンピューター２６ａ、２６ｂ、２６ｃとを備える。この実施形態においては、複数のコンピューター２６ａ〜２６ｃについては、３台示している。各コンピューター２６ａ〜２６ｃはそれぞれ、複合機１１に対して、ネットワーク２５を介して画像形成要求を行うことができる。複合機１１とコンピューター２６ａ〜２６ｃとは、ＬＡＮ（Ｌｏｃａｌ  Ａｒｅａ  Ｎｅｔｗｏｒｋ）ケーブル等を用いて有線で接続されていてもよいし、無線で接続されていてもよく、ネットワーク２５内には、他の複合機や、メールサーバーなどのサーバーが接続されている構成でもよい。
【００１８】
次に、上記した制御部１２の構成について説明する。図３は、制御部１２の構成を示すブロック図である。図３を参照して、制御部１２は、画像形成要求受け付け部４０と、画像データ取得部４１と、視認性向上要求受け付け部４２と、領域識別部４３と、線幅測定部４４と、補正対象箇所抽出部４５と、補正処理部４６と、メモリ５０とを備える。
【００１９】
画像形成要求受け付け部４０は、ユーザーからの画像形成の要求を受け付ける。画像データ取得部４１は、上記画像読み取り部１４により原稿を読み取るか、またはネットワーク２５に接続されたコンピューター２６ａ、２６ｂ、２６ｃから送信された画像データを受信することにより画像データを取得する。取得された画像データはメモリ５０内の第１画像メモリ５１に格納される。
【００２０】
視認性向上要求受け付け部４２は、印刷物の視認性を高めるための要求（視認性向上要求）を受け付ける。その要求に応じて、制御部１２は印刷物の視認性を高めるための処理を行うよう制御する。
【００２１】
具体的には、視認性向上要求受け付け部４２が視認性向上要求を受け付けると、制御部１２内の領域識別部４３は、第１画像メモリ５１に格納された画像データにアクセスして、その画像データ内の線画領域と線画領域以外の領域とを識別すると共に、線画領域と識別された領域内の文字または線を抽出する。線幅測定部４４は、領域識別部４３が抽出した文字または線の線幅を求める。補正対象箇所抽出部４５は、線幅測定部４４が測定した線幅と、あらかじめ定められたしきい値とを比較する。比較の結果、線幅がしきい値未満の領域を補正対象箇所として抽出する。補正対象箇所抽出部４５が抽出した補正対象箇所を、補正処理部４６があらかじめ定められた規定値まで太線化する。さらに補正処理部４６は、太線化処理の後、画像データを補正して、印刷用補正データを作成する。作成した印刷用補正データはメモリ５０内の第２画像メモリ５２に格納される。その印刷用補正データに基づいて画像形成部１５が記録媒体上に画像を形成する。
【００２２】
このように、視認性向上要求を視認性向上要求受け付け部４２が受け付けた後に行われる一連の画像形成モードを、本明細書では視認性向上モードまたはシニアモードと呼ぶ。なお、視認性向上要求がない場合には、画像形成部１５は、画像データ取得部４１が取得した未補正の画像データに基づき記録媒体上に画像を形成する。これを通常印刷モードと呼ぶ。視認性向上モードと通常印刷モードはユーザーの操作により切り替え可能である。
【００２３】
メモリ５０は、第１画像メモリ５１と、第２画像メモリ５２と、補正情報メモリ５３を含む。上述の通り、第１画像メモリ５１は画像データ取得部４１が取得したデータを格納し、第２画像メモリ５２は上記印刷用補正データを格納する。また補正情報メモリ５３は、補正対象箇所抽出部４５の判断の基準であるしきい値や、太線化するための条件などを格納する。
【００２４】
次に、この発明の一実施形態に係る複合機１１を用いて、ユーザーが画像を形成する場合について説明する。ユーザーは、手持ちの原稿の画像を用いて、コピーを行う場合を想定する。
【００２５】
図４は、この発明の一実施形態に係る複合機１１を用いて印刷物を出力する場合の処理の流れを示すフローチャートである。図５は表示部２１の画面表示の一例を示す図である。
【００２６】
図４を参照して、ユーザーは、複合機１１の前に赴き、ＡＤＦ２２に原稿をセットする。制御部１２は、ＡＤＦ２２にセットされた原稿を検知する。ユーザーは、表示操作部１３の表示画面２１等を操作することにより、画像形成を要求する。そうすると、画像形成要求受け付け部４０は、画像形成の要求を受け付ける（ステップＳ１１。以下、「ステップ」を省略する）。画像形成の要求の受け付けと共に、画像読み取り部１４はＡＤＦ２２を利用して原稿の画像を読み取り、画像データ取得部４１はその画像データを取得する（Ｓ１２）。取得された画像データは第１画像メモリ５１に格納される。
【００２７】
次に視認性向上要求受け付け部４２は、ユーザーからの、印刷物の視認性を向上したいという要求（視認性向上要求）を受け付ける（Ｓ１３）。図５は表示操作部１３の表示部２１に示される表示の一例を示したものである。図５を参照して、画面上部には印刷モードの選択を促すメッセージ１０１が表示されている。また画面下部には通常印刷モードを選択するためのキー１０２と、シニアモード（視認性向上モード）を選択するためのキー１０３が表示されている。視認性を高めた印刷物の取得を希望する場合には、ユーザーはシニアモードを選択するキー１０３を押下する。キー１０３が押下されたことを検知すると、視認性向上要求受け付け部４２は視認性向上要求を受け付ける。
【００２８】
視認性向上要求が受け付けられると、領域識別部４３は線や文字などの線画領域と、図形などの線画領域以外の領域を識別する。加えて領域識別部４３は、線画領域内の文字や線も識別する（Ｓ１４）。識別にはエッジ（境界）検出技術などの画像解析技術を利用することができる。線や文字はその境界において急激に濃度が変化するのに対し、模様や写真は境界においても濃度変化が緩やかである。例えばこの特徴を利用して文字や線を含む線画領域と、図形などのそれ以外の領域を識別する。また線画領域を識別するのと共に、線画領域内の線や文字を識別する。
【００２９】
図６は白地の背景６２に黒字の線６１が描かれた状態を示す図である。図６を参照にすると、まず領域識別部４３は、画像データの中から線画領域を識別し、更に線画領域から線６１を識別する。線６１を識別するには、まず画像データを主走査方向（縦軸方向）６３および副走査方向（横軸方向）６４にスキャンする。このスキャンにより、線画領域内の白と黒の色情報を取得する。ここで、黒が一方向に連続して延在する場合において、その延在方向の軸と直交する方向の幅Ｌが所定の値以下、例えば１０ドット以下である場合、その延在部を線（または文字）であると識別する。さらに線幅取得部４４は、上記幅Ｌの値を、その線（または文字）の線幅６５として取得する（Ｓ１５）。
【００３０】
次に補正対象箇所抽出部４５は、補正情報メモリ５３に記憶されたしきい値と、上記線幅Ｌの値とを比較する（Ｓ１６）。このとき、補正対象箇所抽出部４５は、線画領域の主走査方向または副走査方向のいずれかの線幅がしきい値未満の領域を含む場合に補正対象箇所であると判定する。しきい値の情報は補正情報メモリ５３に格納されている。図７はある線画領域の、主走査方向（縦軸方向）６３に伸びた直線（縦線）７２と、副走査方向（横軸方向）６４に伸びた直線（横線）７１が交差した部分を拡大した部分である。横線７１の線幅Ｌ１は２ドット、縦線７２の線幅Ｌ２は５ドットである。例えばしきい値が３ドットと規定されているとする。この場合、Ｌ２はしきい値よりも大きいので、補正対象箇所抽出部４５は縦線７２を補正が不要な箇所と判定する。これに対し、Ｌ１はしきい値よりも小さいので、補正対象箇所抽出部４５は横線７１を補正対象箇所と判定する。
【００３１】
なお、しきい値は画像形成装置の仕様としてあらかじめ定められた値であってもよいし、ユーザーが数値を入力することにより任意に変更できる可変値であってもよい。
【００３２】
また、あるユーザーが過去に設定したしきい値の条件を補正情報メモリ５３に記録しておき、そのユーザーが再度ログインすると、そのしきい値の条件が適用されるようにしてもよい。
【００３３】
補正対象箇所抽出部４５により補正対象箇所と判定された横線７１は、次に補正処理部４６により太線化処理される（Ｓ１７）。図８は太線化処理によりドットが追加される箇所７３を示している。追加される幅は、あらかじめ定められた規定値から横線７１の線幅Ｌ１の値（図７および８では２ドット）を引いた差として求められる。例えば規定値が３ドットの場合には、横線７１に追加される幅は（３−２）＝１ドットである。補正処理部４６は横線７１を１ドット分幅広くすることにより、横線７１を太くし、視認性を高める（Ｓ１７）。なお、上記しきい値と上記規定値は同じ値でもよく、違う値でもよい。また図８では横線７１の主走査方向（縦軸方向）の上側のみを１ドット分幅広く太線化処理しているが、２ドット以上太線化する場合、横線７１の対称軸に直交する方向に均等に太字化するのが好ましい。例えば図８において２ドット分太線化する場合には、横線７１の主走査方向（縦軸方向）の上側と下側をそれぞれ１ドット分ずつ幅広くするのが好ましい。
【００３４】
補正処理部４６は、太線化処理を行ったのち、処理の内容を反映した印刷用補正データを作成する。印刷用補正データは第２画像メモリ５２に格納される。その後、線幅測定部４４は、繰り返し印刷用補正データ内の線画領域の線幅を測定する（Ｓ１８）。補正対象箇所抽出部４５は、線幅測定部４４が求めた線幅Ｌとしきい値を比較し、線幅Ｌがしきい値未満の箇所は補正対象箇所と判定する。補正対象箇所は補正処理部４６により太線化処理される。太線化処理ののち、その内容を反映するよう既に第２画像メモリ５２に格納されていた印刷用補正データが更新される。それを繰り返し、補正対象箇所抽出部４５は全ての線画領域において全ての線幅がしきい値以上になったか否かを判断する（Ｓ１９）。
【００３５】
全ての線画領域の全ての線幅がしきい値以上であると判断された場合、画像形成部１５は、第２画像メモリ５２に格納した印刷用補正データに基づき、用紙などの記録媒体上に画像を形成する。画像が形成された記録媒体は、排出トレイ３０上に排出される。太字化処理された記録媒体上の画像８２は、図９に示すように、標準の線画８１に比べて横線が太く視認しやすくなっている。
【００３６】
複合機１１は太線化処理を行わずに画像形成することもできる。ユーザーが元の画像データに基づいた画像形成を望む場合には、ユーザーは、図５に示す表示部２１の「通常印刷モード」と表示されたキー１０２を押下することができる。キー１０２を押下すると、第１画像メモリ５１に格納された画像データに基づき、画像形成部１５は記録媒体上に画像を形成する（Ｓ２２）。画像が形成された記録媒体は排出トレイ３０に排出される。この場合、記録媒体上に形成される画像は図９の上側に示す線画８１のような線画である。通常印刷モードと視認性向上モードは切り替え可能である。ユーザーは通常印刷モードでの画像形成を望む場合にはキー１０２を押下すればよく、一方、視認性向上モード（シニアモード）での画像形成を望む場合にはキー１０３を押下すればよい。ユーザーは、通常印刷モードと視認性向上モードの両方の印刷モードで印刷物を出力すれば、どの部分が太線化されたか確認することができる。
【００３７】
上記実施形態では、ユーザーが画像形成装置としての複合機１１をコピー機として使用する場合を説明したが、複合機１１はコピー機以外の用途で用いてもよい。別の実施形態としては、ユーザーは複合機１１をプリンターとして使用することもできる。その場合、まずユーザーはコンピューター２６ａ〜２６ｃのいずれかを操作し、ネットワーク２５を介して画像形成要求受け付け部４０に画像形成要求を行う（Ｓ１１）。画像形成要求受け付け部４０が画像形成要求を受け付けた後、コンピューター２６ａ〜２６ｃから送信される画像データを画像データ取得部４１が受信する（Ｓ１２）。受信した画像データは第１画像メモリ５１に格納される。その後、Ｓ１３〜Ｓ２２の各ステップは複合機１１をコピー機として使用する場合と同様である。
【００３８】
また複合機１１をプリンターとして使用する場合には、図５に示す表示部２１の表示に代わり、コンピューター２６ａに付属のディスプレイ９０ａの表示部９１ａに印刷モードを選択するための内容が表示される。図１０に表示部９１ａの表示の一例を示す。ディスプレイ９０ａには、印刷モードの選択を促すメッセージ２０１ａと、通常印刷モードを選択するキー２０２ａと、シニアモードを選択するキー２０３ａが表示されている。ユーザーは、通常印刷モードを選択したいときはキー２０２ａを、シニアモードを選択したいときにはキー２０３ａを選択してマウスをクリックすることにより画像形成モードを決定することができる。
【００３９】
なお、上記の実施の形態においては、印刷物は、記録媒体として紙を用いるものが好ましい。ただし記録媒体は紙に限定されず、ＯＨＰ（Ｏｖｅｒｈｅａｄ  Ｐｒｏｊｅｃｔｏｒ）シート等を用いてもよい。
【００４０】
また、上記の実施形態においては、複合機１１は、補正処理部４６により太線化した部分を報知する報知部を備える構成としてもよい。報知部を備えることにより、太線化処理した箇所を容易に認識することができる。具体的には表示操作部１３の表示部２１により報知する。
【００４１】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００４２】
この発明に係る画像形成装置は、老眼などにより視力が低下した年齢層の人々が視認性の向上した印字物を取得したい場合に特に有効に利用される。
【符号の説明】
【００４３】
１１  複合機、１２  制御部、１３  表示操作部、１４  画像読み取り部、１５  画像形成部、１６  ハードディスク、１７  ファクシミリ通信部、１８  ネットワークインターフェース部、２１  表示部、２２  ＡＤＦ、２３  現像装置、２４  公衆回線、２５  ネットワーク、２６ａ，２６ｂ，２６ｃ  コンピューター、２７  画像形成システム、３０  排出トレイ、４０  画像形成要求受け付け部、４１  画像データ取得部、４２  視認性向上要求受け付け部、４３  領域識別部、４４  線幅測定部、４５  補正対象箇所抽出部、４６  補正処理部、５０  メモリ、５１  第１画像メモリ、５２  第２画像メモリ、５３  補正情報メモリ、６１  線、６２  余白、６３  主走査方向、６４  副走査方向、６５  線幅、７１  横線、７２  縦線、７３  太線化処理によりドットが追加される箇所、８１  標準の線画、８２  太字化処理された画像、９０ａ  ディスプレイ、９１ａ  ディスプレイの表示部、１０１  印刷モードの選択を促すメッセージ、１０２  通常印刷モード選択キー、１０３  シニアモード選択キー、２０１ａ  印刷モードの選択を促すメッセージ、２０２ａ通常印刷モード選択キー、２０３ａ  シニアモード選択キー。
【図１】
2017068023.tif 000003
【図２】
2017068023.tif 000004
【図３】
2017068023.tif 000005
【図４】
2017068023.tif 000006
【図５】
2017068023.tif 000007
【図６】
2017068023.tif 000008
【図７】
2017068023.tif 000009
【図８】
2017068023.tif 000010
【図９】
2017068023.tif 000011
【図１０】
2017068023.tif 000012